(57)【要約】【課題】電子眼鏡に用いる電子回路収納部への機械的ストレスを低減し信頼性の高い電子眼鏡を提供する。【解決手段】少なくともリムと眼鏡レンズと智とテンプルとから構成された電子眼鏡において、前記電子眼鏡に用いる電子回路を収納するための電子回路収納部を前記智のリム側の眼鏡レンズの近傍にのみ配置した電子眼鏡、あるいは、少なくともリムと眼鏡レンズとテンプルと智とから構成された電子眼鏡において、前記電子眼鏡に用いる電子回路を収納するための電子回路収納部を前記智のリム側の延長部にのみ配置した電子眼鏡。【選択図】図１
2009237449.tif 000002
【特許請求の範囲】
【請求項１】
少なくともリムと眼鏡レンズと智とテンプルとから構成された電子眼鏡において、
前記電子眼鏡に用いる電子回路を収納するための電子回路収納部を前記智のリム側の眼鏡レンズの近傍にのみ配置した電子眼鏡。
【請求項２】
少なくともリムと眼鏡レンズとテンプルと智とから構成された電子眼鏡において、
前記電子眼鏡に用いる電子回路を収納するための電子回路収納部を前記智のリム側の延長部にのみ配置した電子眼鏡。
【請求項３】
前記智のリム側の延長部は、前記眼鏡レンズと反対の方向に延長するように形成されている請求項２に記載の電子眼鏡。
【請求項４】
少なくともリムと眼鏡レンズとテンプルと智とから構成された電子眼鏡において、
前記電子眼鏡に用いる電子回路を収納するための電子回路収納部が前記智のテンプル側に移動可能となるように嵌合されており、且つ回転可能となるように回転支持部により前記智のリム側に接続されている電子眼鏡。
【請求項５】
前記回転支持部は、前記リムと前記智とを接続するためのリムロックを兼ねている請求項４に記載の電子眼鏡。
【請求項６】
少なくともリムと眼鏡レンズとテンプルと智とから構成された電子眼鏡において、
前記電子眼鏡に用いる電子回路を収納するための電子回路収納部が前記智のテンプル側に移動可能となるように嵌合されており、且つ回転可能となるように回転支持部により前記智のテンプル側に接続されている電子眼鏡。
【請求項７】
前記回転支持部は、前記テンプルと前記智とを接続するためのちょう番を兼ねている請求項６に記載の電子眼鏡。
【請求項８】
前記電子回路は、それを駆動するための電源部を含む請求項１、２、４、６に記載の電子眼鏡。
【発明の詳細な説明】
【技術分野】
【０００１】
本発明は、電子眼鏡の構成に関するものであり、特に電子回路を収納した電子回路収納部の配置に関する。
【背景技術】
【０００２】
老眼などのように、眼球の焦点距離の調整機能が低下すると、近距離と遠距離の視力補正をする眼鏡を使用することになるが、状況に応じて掛け換えなければならず不便である。そうした不便さを改善する目的で単一の眼鏡のレンズ内に近距離および遠距離の異なる領域を設けて使用する累進多焦点レンズが長らく使用されている。しかし、適当な範囲をそれぞれカバーしているのは視野の一部であるため、見えづらいものになり、不便であった。
【０００３】
このため、レンズの中に液晶などの誘電体材料を封入し、これに電圧をかけて屈折率を変化させることで焦点距離を制御するレンズを用いた電子眼鏡が考案された。その構成は、レンズ様に加工された透明領域に誘電体を封入し、配置された透明電極などに電圧制御を行い所定の屈折率に可変させる焦点可変誘電体レンズ部とそれを駆動する制御部および電源からなる。この焦点可変誘電体レンズ部に電気的なエネルギーを与える電圧供給部とそれを制御する制御部の電子回路を収納するための電子回路収納部は、フレームのリムロックからちょう番の間に配置する構成がしられている（例えば、特許文献１参照。）。
【０００４】
図６〜図９を用いて電子眼鏡の基本構成の形態を説明する。図６は電子眼鏡の外観図、図７は眼鏡の構造外観図、図８は電子回路収納部の外観図である。図６に示すように、電子眼鏡１は眼願フレーム７に焦点可変誘電体レンズ２と電子回路収納部３を配置している。図７に示す眼鏡フレーム８とは視力補正などを目的とし、頭部に装着し眼球前にレンズ７が配置するように構成されている。眼球前に２枚のレンズ７が配置固定するようにレンズ７が組み込まれるリム１０と智１２により構成される眼鏡フロント１１とそれを保持する目的で構成される耳に掛けるテンプル９とが智１２によりつながれている。連結部は携帯性や使いやすさの観点からヒンジ形状を有し、折りたためる構造となっているものが多い。使用時にテンプル９を広げ、頭部に装着し、装着安定のために、２本のテンプル９は頭部をはさみ込むように弾性を有している。
【０００５】
図８に電子回路収納部の説明を行う。眼鏡フレーム８に配置される２枚の焦点可変誘電体レンズ２とそれを駆動する電子回路収納部３は配線６によって連結され、所定の制御仕様に応じて焦点可変誘電体レンズ２を駆動する。電子回路収納部３は制御部４と電源５により構成されている。
【特許文献１】特開昭６１−６１１３４号公報
【発明の開示】
【発明が解決しようとする課題】
【０００６】
しかしながら、前記従来の構成では、図９に示すとおり、眼鏡の掛け外しの際にテンプル９は変形方向１６の力を受け押し広げられる。このとき、適度な弾性を有するテンプル９は湾曲するがその付け根である智１２の智テンプル継ぎ手１４に応力集中１７が発生し、大きな歪が生じる。従来の構成では眼鏡の構造的に変形が発生しやすいテンプルやちょう番に電子回路収納部を配置しているので、日常の頻繁な掛け外し時にテンプルやちょう番に加わる大きな歪により、電子回路収納部に格納されている電子回路基板に大きなストレスが加わり回路破断等の信頼性低下の課題があった。
【０００７】
本発明は前記従来の課題を解決するもので、電子眼鏡に用いる電子回路収納部への機械的ストレスを低減し信頼性の高い電子眼鏡を提供することを目的とする。
【課題を解決するための手段】
【０００８】
前記従来の課題を解決するために、本発明の電子眼鏡は、少なくともリムと眼鏡レンズと智とテンプルとから構成された電子眼鏡において、前記電子眼鏡に用いる電子回路を収納するための電子回路収納部を前記智のリム側の眼鏡レンズの近傍にのみ配置したたことを特徴としたものである。
【０００９】
また、本発明は、少なくともリムと眼鏡レンズとテンプルと智とから構成された電子眼鏡において、前記電子眼鏡に用いる電子回路を収納するための電子回路収納部を前記智のリム側の延長部にのみ配置したことを特徴としたものである。
【発明の効果】
【００１０】
本発明の電子眼鏡によれば、電子眼鏡の信頼性を確保する、電子眼鏡の電子回路収納部への過度の変形応力を与えない構成により実現した電子眼鏡を提供することができる。
【発明を実施するための最良の形態】
【００１１】
以下に、本発明の電子眼鏡の実施の形態を図面とともに詳細に説明する。
【００１２】
（実施の形態１）
図１は、本発明の第１の実施の形態における構成を示したものであり、電子眼鏡の電子回路収納部の配置の図である。電子回路収納部３はレンズ７に配置された焦点可変誘電体レンズ２に配線６で電気的に接続される。本実施例では、智はＬ字型をしており、リム側の智を１２、テンプル側の智を１４とする。電子回路収納部３は、テンプル側の智１４から分離されており、リム側の智１２のレンズ７の近傍にのみに接続されている。これにより、テンプル９が眼鏡の装着等によって変形したときに生じる応力の影響を電子回路収納部３に直接受けない。従って、電子回路収納部３に機械的ストレスを与え難い効果が得られる。
【００１３】
図２に、本発明の第１の実施の形態における別の構成を示す。電子回路収納部３はレンズ７に配置された焦点可変誘電体レンズ２に配線６で電気的に接続される。
この構成では、智はＬ字型をしており、リム側の智１２にレンズ７と反対方向に智延長部１３を設けている。電子回路収納部３は、テンプル側の智１４から分離されており、智延長部１３にのみに接続されている。これによりテンプル９の変形が生じても智延長部１３は応力を受けない箇所にあり、電子回路収納部３に変形応力を与えない構成をとることができる。
【００１４】
以上のように、本実施の形態に係わる電子眼鏡によれば、電子眼鏡の信頼性を確保する、電子眼鏡の電子回路収納部への過度の変形応力を与えない構成により実現した電子眼鏡を提供することができる。
【００１５】
（実施の形態２）
図３は本発明の第２の実施の形態における構成を示したものであり、電子眼鏡の電子回路収納部の配置の図である。第１の実施例と異なる点は、電子回路収納部に回転支持部を設けるとともにテンプル側の智１４に緩く嵌め込む構成にした点である。以下に詳細を説明する。
【００１６】
電子回路収納部３はレンズ７に配置された焦点可変誘電体レンズ２に配線６で電気的に接続される。電子回路収納部３は、回転支持部１５をもち、この回転支持部１５はリム側の智１２に接続されている。この接続位置は、レンズ７近傍に配されており、テンプル９の開き方向に一致する回転平面上に固定される。電子回路収納部３の筐体の一部は筒形状を有し、テンプル側の智１４に緩く嵌め込まれている。このようにすることでテンプル９の変形がもたらす、テンプル側の智１４に変形が生じても回転支持部１５はレンズ７近傍にあるので、配線６と電子回路収納部３の相対位置は違わないので断線がなく、たとえ、テンプル９の変形がテンプル側の智１４を変形させても電子回路収納部３は変形に追随するよう移動でき、電子回路収納部３に過度の変形応力を与えない。
【００１７】
また、実施の形態２の別の効果として、電子回路収納部３を格納する筐体は眼鏡のデザイン性を崩すことなくさまざまな形状にすることができる。
【００１８】
図４に本発明の第２の実施の形態の別の構成を示す。先に説明した電子回路収納部３の回転支持部１５を眼鏡のリムロック１８と兼用した構成である。このようにすることで、回転支持部１５を眼鏡フレーム８の一部に組み入れることができ、空間と部品を省略できる。
【００１９】
図５に、さらに本発明の第２の実施の形態の別の構成を示す。先に説明した電子回路収納部３の回転支持部１５を眼鏡のちょう番１９と兼用した構成である。このようにすることで、回転支持部１５を眼鏡フレーム８の一部に組み入れることができ、空間と部品を省略できる。
【００２０】
以上のように、上記実施形態に係わる電子眼鏡によれば、電子眼鏡の信頼性を確保する、電子眼鏡の電子回路収納部への過度の変形応力を与えない構成により実現した電子眼鏡を提供することができる。
【産業上の利用可能性】
【００２１】
本発明にかかる電子眼鏡は、電子眼鏡の電子回路収納部への過度の変形応力を与えない構成により実現した信頼性の確保の用途に有用である。
【図面の簡単な説明】
【００２２】
【図１】本発明の実施の形態１における電子眼鏡の電子回路収納部の配置の図
【図２】本発明の実施の形態１における電子眼鏡の電子回路収納部の配置の図
【図３】本発明の実施の形態２における電子眼鏡の電子回路収納部の配置の図
【図４】本発明の実施の形態２における電子眼鏡の電子回路収納部の配置の図
【図５】本発明の実施の形態２における電子眼鏡の電子回路収納部の配置の図
【図６】従来の電子眼鏡の外観図
【図７】従来の眼鏡の構造外観図
【図８】従来の電子回路収納部の外観図
【図９】従来の眼鏡構造の説明図
【符号の説明】
【００２３】
１  電子眼鏡
２  焦点可変誘電体レンズ
３  電子回路収納部
４  制御部
５  電源
６  配線
７  レンズ
８  眼鏡フレーム
９  テンプル
１０  リム
１１  眼鏡フロント
１２  リム側の智
１３  智延長部
１４  テンプル側の智
１５  回転支持部
１６  変形方向
１７  応力集中
１８  リムロック
１９  ちょう番
【図１】
2009237449.tif 000003
【図２】
2009237449.tif 000004
【図３】
2009237449.tif 000005
【図４】
2009237449.tif 000006
【図５】
2009237449.tif 000007
【図６】
2009237449.tif 000008
【図７】
2009237449.tif 000009
【図８】
2009237449.tif 000010
【図９】
2009237449.tif 000011